(57)【要約】  【課題】棒金収納部17a，17bを増設しても棒金出金口26の位置を一定にできる棒金処理装置14を提供する。  【解決手段】棒金の収納と出金をする棒金収納出金部16の側部に、棒金の収納をする棒金収納部17a，17bを並設する。棒金収納出金部16および棒金収納部17a，17bの下部側に、棒金を互いに搬送する第１の横搬送部23および第２の横搬送部33を設ける。包装部15の下部側から送り出す棒金を、棒金収納出金部16に収納するか、棒金収納部17a，17bに搬送して収納する。棒金収納出金部16に収納した棒金を出金するか、棒金収納部17a，17bに収納した棒金を棒金収納出金部16に搬送して出金する。したがって、棒金収納部17a，17bを幾つ増設しても、棒金収納出金部16の位置すなわち棒金を送り出す棒金出金口26の位置を一定にできる。  【選択図】図１
2005228080.tif 000002
【特許請求の範囲】
【請求項１】
所定枚数重積した硬貨類を包装して棒金類を形成し、この棒金類を下部側から送り出す包装部と、
この包装部の下部側から送り出される棒金類を受け入れるとともに棒金類を一側方向および他側方向のいずれにも搬送可能とする第１の横搬送部、この第１の横搬送部より上方に設けられ棒金類を受け入れおよび送り出し可能に収納する複数の第１の棒金類トレイが上下方向に並設された第１の棒金類トレイ群、前記第１の横搬送部より上方に設けられた棒金類送出口、前記第１の横搬送部から棒金類を受け取って第１の棒金類トレイ群および棒金類送出口のいずれにも搬送可能とするとともに前記第１の棒金類トレイ群から送り出される棒金類を受け取って棒金類送出口に搬送する第１の棒金類搬送部を有する棒金類収納送出部と、
この棒金類収納送出部の一側方向の側部に少なくとも１つ並設され、前記棒金類収納送出部の第１の横搬送部に連続して棒金類を一側方向および他側方向のいずれにも搬送可能とする第２の横搬送部、この第２の横搬送部より上方に設けられ棒金類を受け入れおよび送り出し可能に収納する複数の第２の棒金類トレイが上下方向に並設された第２の棒金類トレイ群、前記第２の横搬送部から棒金類を受け取って第２の棒金類トレイ群に搬送するとともに第２の棒金類トレイ群から送り出される棒金類を受け取って第２の横搬送部に搬送する第２の棒金類搬送部を有する棒金類収納部と
を具備していることを特徴とする棒金類処理装置。
【請求項２】
本体内の下部域に包装部が設けられるとともにこの包装部の上部域に第１の棒金類トレイ群を配置して棒金類収納送出部が設けられ、この本体の一側方向の側部に少なくとも１つの棒金類収納部が並設されている
ことを特徴とする請求項１記載の棒金類処理装置。
【請求項３】
包装部の上部域に複数列の第１の棒金類トレイ群が並設され、
これら複数列の第１の棒金類トレイ群のうち、いずれか１つの列の第１の棒金類トレイ群に対応する第１の棒金類搬送部が第１の横搬送部、第１の棒金類トレイ群および棒金類送出口にわたって設けられ、残りの列の第１の棒金類トレイ群に対応する第１の棒金類搬送部が第１の棒金類トレイ群および棒金類送出口にわたって設けられ、これら複数列の第１の棒金類搬送部間で棒金類を受け渡す棒金類受渡部が設けられた
ことを特徴とする請求項２記載の棒金類処理装置。
【請求項４】
請求項１ないし３いずれか記載の棒金類処理装置と、
この棒金類処理装置の他側方向の側部に設けられ、硬貨類を受け入れて識別する硬貨類受入処理部、この硬貨類受入処理部で識別された硬貨類を一時保留する一時保留部、およびこの一時保留部に保留された硬貨類の収納時に収納するとともに収納した硬貨類を前記棒金類処理装置の包装部へ向けて繰出可能とする硬貨類収納繰出部を有する硬貨類処理装置と
を具備していることを特徴とする硬貨類処理機。
【発明の詳細な説明】
【技術分野】
【０００１】
本発明は、硬貨類を所定枚数重積して包装した棒金類の収納および送り出しを処理する棒金類処理装置、およびこの棒金類処理装置を備えた硬貨類処理機に関する。
【背景技術】
【０００２】
従来、硬貨や遊技用のメダルなどの硬貨類（硬貨やメダルなどを総称して硬貨類と呼ぶ）を所定枚数重積して包装した棒金類（硬貨を所定枚数重積して包装した包装硬貨である棒金やメダルを所定枚数重積して包装した包装メダルなどを総称して棒金類と呼ぶ）を形成し、この棒金類を収納したり送り出すようにした硬貨処理機やメダル処理機などの硬貨類処理機（硬貨処理機やメダル処理機などを総称して硬貨類処理機と呼ぶ）が知られている。
【０００３】
図１１に、従来の硬貨類処理機の一例として硬貨処理機のレイアウトを示す。硬貨処理機本体１の左側域には、ばら状態の入金硬貨を受け入れて識別する入金処理部2a、この入金処理部2aで識別された入金硬貨を一時保留する一時保留部2b、およびこの一時保留部2bに一時保留された硬貨の収納時に収納する硬貨収納繰出部2cがそれぞれ配設されている。硬貨処理機本体１の右側域には、硬貨収納繰出部2cから繰り出される硬貨を所定枚数重積して包装した棒金を形成する包装部2d、この包装部2dで形成された棒金を受け入れて上方へ搬送する第１の棒金リフト2e、およびこの第１の棒金リフト2eで上方へ搬送した棒金を振分機構を介して受け入れて一括収納する棒金一括収納部2fがそれぞれ配設されている。
【０００４】
硬貨処理機本体１の右側には棒金を収納する少なくとも１台の棒金収納装置3aが並設され、この棒金収納装置3aの右側に棒金を収納するととともに出金する１台の棒金収納出金装置3bが並設されている。この棒金収納装置3aに関しては、例えば、標準仕様では用いられず、棒金の収納量を多くする仕様の場合に１台または複数台が増設される。
【０００５】
これら棒金収納装置3aおよび棒金収納出金装置3bには、棒金を前面側から出入可能に収納する金種別の棒金トレイ4a，4bが上下方向に並設された棒金トレイ群5a，5b、この棒金トレイ群5a，5bの前面側に棒金を上下方向に搬送する第２の棒金リフト6a，6bがそれぞれ配設されている。
【０００６】
第１の棒金リフト2eと隣接する棒金収納装置3aとの上部間には第１の棒金リフト2eで上方へ搬送した棒金を振分機構を介して棒金収納装置3aの第２の棒金リフト6aに受け渡すシュート7aが設けられ、棒金収納装置3aと棒金収納出金装置3bとの上部間には棒金収納装置3aの第２の棒金リフト6aで上方へ搬送した棒金を棒金収納出金装置3bの第２の棒金リフト6bに受け渡すシュート7bが設けられ、棒金収納出金装置3bの上部には第２の棒金リフト6bで上方へ搬送した棒金を出金する棒金出金口８が設けられている。
【０００７】
第１の棒金リフト2eで搬送する棒金の向きに対して、棒金収納装置3aや棒金収納出金装置3bの第２の棒金リフト6a，6bで棒金を搬送したり棒金トレイ4a，4bに収納する棒金の向きが略９０°異なるため、第１の棒金リフト2eからシュート7aを通じて棒金収納装置3aの第２の棒金リフト6aに棒金を受け渡す際に棒金の向きを略９０°程度変換している。
【０００８】
そして、包装部2dで包装した棒金を棒金収納装置3aに収納する場合には、包装部2dで包装した棒金を、第１の棒金リフト2eで上方に搬送し、シュート7aを通じて棒金収納装置3aの第２の棒金リフト6aに受け渡し、この第２の棒金リフト6aで棒金トレイ4aに収納する。包装部2dで包装した棒金を棒金収納出金装置3bに収納する場合には、包装部2dで包装した棒金を、第１の棒金リフト2eで上方に搬送し、シュート7aを通じて棒金収納装置3aの第２の棒金リフト6aに受け渡し、この第２の棒金リフト6aで上方に搬送し、シュート7bを通じて棒金収納出金装置3bの第２の棒金リフト6bに受け渡し、この第２の棒金リフト6bで棒金トレイ4bに収納する。また、棒金収納装置3aの棒金を出金する場合には、棒金収納装置3aの棒金トレイ4aから第２の棒金リフト6aに取り出した棒金を、この第２の棒金リフト6aで上方に搬送し、シュート7bを通じて棒金収納出金装置3bの第２の棒金リフト6bに受け渡し、この第２の棒金リフト6bで上方の棒金出金口８に搬送する。棒金収納出金装置3bの棒金を出金する場合には、この棒金収納出金装置3bの棒金トレイ4bから第２の棒金リフト6bに取り出した棒金を、この第２の棒金リフト6bで上方の棒金出金口８に搬送する。
【０００９】
ここで、棒金の収納量を多くするために棒金収納装置3aを増設する場合には、増設する棒金収納装置3aを硬貨処理機本体１と棒金収納出金装置3bとの間に配置する。これは、棒金収納装置3aから棒金を出金する場合にシュート7bを通じて右方向にしか送り出すことができないため、棒金出金口８を有する棒金収納出金装置3bが必ず右端に位置する必要があるからである（例えば、特許文献１参照。）。
【００１０】
また、図１２に、従来の他の硬貨処理機のレイアウトを示す。硬貨処理機本体１の側部に同じ棒金収納出金装置3bを複数台並設したもので、各棒金収納出金装置3bからそれぞれ棒金を出金可能としており、硬貨処理機本体１に隣接した一方の棒金収納出金装置3bの上部側にはシュート7aを通じて棒金を受け入れるコンベヤ9aが設けられ、一方の棒金収納出金装置3bに隣接する他方の棒金収納出金装置3bの上部側には一方の棒金収納出金装置3bからコンベヤ9aで送り込まれる棒金を受け入れるコンベヤ9bが設けられている。
【００１１】
そして、包装部2dで包装した棒金を一方の棒金収納出金装置3bに収納する場合には、包装部2dで包装した棒金を、第１の棒金リフト2eで上方に搬送し、シュート7aを通じて棒金収納出金装置3bのコンベヤ9aから第２の棒金リフト6aに受け渡し、この第２の棒金リフト6aで棒金トレイ4aに収納する。包装部2dで包装した棒金を他方の棒金収納出金装置3bに収納する場合には、包装部2dで包装した棒金を、第１の棒金リフト2eで上方に搬送し、シュート7aを通じて一方の棒金収納出金装置3bのコンベヤ9aに受け渡し、このコンベヤ9aで他方の棒金収納出金装置3bのコンベヤ9bに搬送し、このコンベヤ9bから第２の棒金リフト6bに受け渡し、この第２の棒金リフト6bで棒金トレイ4bに収納する。また、各棒金収納出金装置3bの棒金を出金する場合には、各棒金収納出金装置3bの棒金トレイ4bから第２の棒金リフト6bに取り出した棒金を、この第２の棒金リフト6bで上方の棒金出金口８に搬送する（例えば、特許文献２参照。）。
【特許文献１】特許第２８５７４５０号公報（第２−５頁、第４図）
【特許文献２】特許第２５５９８２１号公報（第５−８頁、第１図）
【発明の開示】
【発明が解決しようとする課題】
【００１２】
しかしながら、図１１に示す従来の硬貨処理機では、棒金収納装置3aから棒金を出金する場合にシュート7bを通じて右方向にしか送り出すことができず、棒金出金口８を有する棒金収納出金装置3bが必ず右端に位置する必要があるため、棒金収納装置3aを多く増設した場合、硬貨処理機本体１の位置から棒金出金口８の位置が遠ざかり、例えば硬貨処理機本体１で棒金出金を操作した操作者が棒金を取り出すために棒金出金口８の位置まで移動しなければならない問題がある。
【００１３】
また、図１２に示す従来の硬貨処理機では、出金機能を有する同じ棒金収納出金装置3bを増設するため、どの棒金収納出金装置3bから棒金が出金されるのか判別しにくく、硬貨処理機本体１から遠い棒金収納出金装置3bから出金された場合には上述したように硬貨処理機本体１で棒金出金を操作した操作者が棒金を取り出すために棒金出金口８の位置まで移動しなければならない問題がある。
【００１４】
また、図１１および図１２に示す従来の硬貨処理機とも、包装部2dで形成された棒金を第１の棒金リフト2eで上方へ搬送し、棒金収納装置3aや棒金収納出金装置3bに受け渡し、これら棒金収納装置3aや棒金収納出金装置3bの第２の棒金リフト6a，6bで棒金を棒金トレイ4a，4bに収納させたり棒金トレイ4a，4bから出金する棒金を取り出して搬送するため、包装部2dから棒金を上方へ搬送するためだけに第１の棒金リフト2eを用いており、構造が複雑化して大形になる問題がある。しかも、この第１の棒金リフト2eから棒金収納装置3aや棒金収納出金装置3bに棒金を受け渡す際に、棒金の向きを略９０°変換させる必要があり、棒金の向きの変換不良などの不具合が発生しやすくなる問題がある。
【００１５】
本発明は、このような点に鑑みなされたもので、棒金類収納部を増設する場合でも棒金類を送り出す棒金類送出口の位置を一定にでき、しかも、棒金類を上方へ搬送するだけに用いる棒金リフトを不要として構造が簡単で小形にできるとともに、その棒金リフトで上方に搬送する棒金類の向きの変換を不要として棒金類を確実に搬送できる棒金類処理装置、およびこの棒金類処理装置を備えた硬貨類処理機を提供することを目的とする。
【課題を解決するための手段】
【００１６】
請求項１記載の棒金類処理装置は、所定枚数重積した硬貨類を包装して棒金類を形成し、この棒金類を下部側から送り出す包装部と、この包装部の下部側から送り出される棒金類を受け入れるとともに棒金類を一側方向および他側方向のいずれにも搬送可能とする第１の横搬送部、この第１の横搬送部より上方に設けられ棒金類を受け入れおよび送り出し可能に収納する複数の第１の棒金類トレイが上下方向に並設された第１の棒金類トレイ群、前記第１の横搬送部より上方に設けられた棒金類送出口、前記第１の横搬送部から棒金類を受け取って第１の棒金類トレイ群および棒金類送出口のいずれにも搬送可能とするとともに前記第１の棒金類トレイ群から送り出される棒金類を受け取って棒金類送出口に搬送する第１の棒金類搬送部を有する棒金類収納送出部と、この棒金類収納送出部の一側方向の側部に少なくとも１つ並設され、前記棒金類収納送出部の第１の横搬送部に連続して棒金類を一側方向および他側方向のいずれにも搬送可能とする第２の横搬送部、この第２の横搬送部より上方に設けられ棒金類を受け入れおよび送り出し可能に収納する複数の第２の棒金類トレイが上下方向に並設された第２の棒金類トレイ群、前記第２の横搬送部から棒金類を受け取って第２の棒金類トレイ群に搬送するとともに第２の棒金類トレイ群から送り出される棒金類を受け取って第２の横搬送部に搬送する第２の棒金類搬送部を有する棒金類収納部とを具備しているものである。
【００１７】
そして、この構成では、棒金類の収納機能および送出機能を有する棒金類収納送出部と、この棒金類収納送出部の一側方向の側部に少なくとも１つ並設された棒金類の収納機能を有する棒金類収納部とを備え、棒金類収納送出部の下部側には包装部の下部側から送り出される棒金類を受け入れるとともに棒金類を一側方向および他側方向のいずれにも搬送可能とする第１の横搬送部を設け、棒金類収納部の下部側には棒金類収納送出部の第１の横搬送部に連続して棒金類を一側方向および他側方向のいずれにも搬送可能とする第２の横搬送部を設けたため、棒金類収納送出部の一側方向に必要数の棒金類収納部を増設した場合でも、棒金類収納送出部からの棒金類を棒金類収納部のいずれにも搬送して収納可能となるとともに、いずれの棒金類収納部からの棒金類も棒金類収納送出部に搬送して送り出すことが可能となり、したがって、棒金類収納部を幾つ増設したとしても、棒金類収納送出部の位置すなわち棒金類を送り出す棒金類送出口の位置が一定になり、棒金類を容易に取り出せる。しかも、包装部の下部側から送り出される棒金類を棒金類収納送出部の下部側の第１の横搬送部および棒金類収納部の下部側の第２の横搬送部で搬送するため、従来のような棒金類を上方へ搬送するだけに用いる棒金リフトを不要として構造が簡単で小形になるとともに、その棒金リフトで上方に搬送する棒金類の向きの変換を不要として棒金類の搬送が確実になる。
【００１８】
請求項２記載の棒金類処理装置は、請求項１記載の棒金類処理装置において、本体内の下部域に包装部が設けられるとともにこの包装部の上部域に第１の棒金類トレイ群を配置して棒金類収納送出部が設けられ、この本体の一側方向の側部に少なくとも１つの棒金類収納部が並設されているものである。
【００１９】
そして、この構成では、本体の下部域に包装部を設けるとともにこの包装部の上部域に第１の棒金類トレイ群を配置して棒金類収納送出部を設け、この本体の一側方向の側部に少なくとも１つの棒金類収納部を並設したため、小形に構成される。
【００２０】
請求項３記載の棒金類処理装置は、請求項２記載の棒金類処理装置において、包装部の上部域に複数列の第１の棒金類トレイ群が並設され、これら複数列の第１の棒金類トレイ群のうち、いずれか１つの列の第１の棒金類トレイ群に対応する第１の棒金類搬送部が第１の横搬送部、第１の棒金類トレイ群および棒金類送出口にわたって設けられ、残りの列の第１の棒金類トレイ群に対応する第１の棒金類搬送部が第１の棒金類トレイ群および棒金類送出口にわたって設けられ、これら複数列の第１の棒金類搬送部間で棒金類を受け渡す棒金類受渡部が設けられたものである。
【００２１】
そして、この構成では、包装部の上部域に複数列の第１の棒金類トレイ群を並設し、これら複数列の第１の棒金類トレイ群のうち、いずれか１つの列の第１の棒金類トレイ群に対応する第１の棒金類搬送部で第１の横搬送部から棒金類を受け取って搬送し、この第１の棒金類搬送部から残りの列の第１の棒金類トレイ群に対応する第１の棒金類搬送部に棒金類受渡部によって棒金類を受け渡せるため、複数列の第１の棒金類トレイ群のいずれでも棒金類を収納したり送り出すことが可能になり、第１の棒金類トレイの数が増加されて棒金類の収納量が増加される。
【００２２】
請求項４記載の硬貨類処理機は、請求項１ないし３いずれか記載の棒金類処理装置と、この棒金類処理装置の他側方向の側部に設けられ、硬貨類を受け入れて識別する硬貨類受入処理部、この硬貨類受入処理部で識別された硬貨類を一時保留する一時保留部、およびこの一時保留部に保留された硬貨類の収納時に収納するとともに収納した硬貨類を前記棒金類処理装置の包装部へ向けて繰出可能とする硬貨類収納繰出部を有する硬貨類処理装置とを具備しているものである。
【００２３】
そして、この構成では、請求項１ないし３いずれか記載の棒金類処理装置とばら状態の硬貨類を受け入れて処理する硬貨類処理装置とを具備した構造が簡単で小形な硬貨類処理機が提供される。
【発明の効果】
【００２４】
請求項１記載の棒金類処理装置によれば、棒金類の収納機能および送出機能を有する棒金類収納送出部と、この棒金類収納送出部の一側方向の側部に少なくとも１つ並設された棒金類の収納機能を有する棒金類収納部とを備え、棒金類収納送出部の下部側には包装部の下部側から送り出される棒金類を受け入れるとともに棒金類を一側方向および他側方向のいずれにも搬送可能とする第１の横搬送部を設け、棒金類収納部の下部側には棒金類収納送出部の第１の横搬送部に連続して棒金類を一側方向および他側方向のいずれにも搬送可能とする第２の横搬送部を設けたため、棒金類収納送出部の一側方向に必要数の棒金類収納部を増設した場合でも、棒金類収納送出部からの棒金類を棒金類収納部のいずれにも搬送して収納できるとともに、いずれの棒金類収納部からの棒金類も棒金類収納送出部に搬送して送り出すことができ、したがって、棒金類収納部を幾つ増設したとしても、棒金類収納送出部の位置すなわち棒金類を送り出す棒金類送出口の位置を一定にでき、棒金類を容易に取り出すことができる。しかも、包装部の下部側から送り出される棒金類を棒金類収納送出部の下部側の第１の横搬送部および棒金類収納部の下部側の第２の横搬送部で搬送するため、従来のような棒金類を上方へ搬送するだけに用いる棒金リフトを不要として構造が簡単で小形にできるとともに、その棒金リフトで上方に搬送する棒金類の向きの変換を不要として棒金類を確実に搬送できる。
【００２５】
請求項２記載の棒金類処理装置によれば、請求項１記載の棒金類処理装置の効果に加えて、本体の下部域に包装部を設けるとともにこの包装部の上部域に第１の棒金類トレイ群を配置して棒金類収納送出部を設け、この本体の一側方向の側部に少なくとも１つの棒金類収納部を並設したため、小形に構成できる。
【００２６】
請求項３記載の棒金類処理装置によれば、請求項２記載の棒金類処理装置の効果に加えて、包装部の上部域に複数列の第１の棒金類トレイ群を並設し、これら複数列の第１の棒金類トレイ群のうち、いずれか１つの列の第１の棒金類トレイ群に対応する第１の棒金類搬送部で第１の横搬送部から棒金類を受け取って搬送し、この第１の棒金類搬送部から残りの列の第１の棒金類トレイ群に対応する第１の棒金類搬送部に棒金類受渡部によって棒金類を受け渡せるため、複数列の第１の棒金類トレイ群のいずれでも棒金類を収納したり送り出すことができ、第１の棒金類トレイの数を増加させて棒金類の収納量を増加できる。
【００２７】
請求項４記載の硬貨類処理機によれば、請求項１ないし３いずれか記載の棒金類処理装置とばら状態の硬貨類を受け入れて処理する硬貨類処理装置とを具備した構造が簡単で小形な硬貨類処理機を提供できる。
【発明を実施するための最良の形態】
【００２８】
以下、本発明の一実施の形態を図面を参照して説明する。
【００２９】
図１に硬貨類処理機を示し、(a)は概略正面図、(b)は概略平面図、(c)は概略側面図である。この硬貨類処理機としては、硬貨類としての硬貨を所定枚数重積して包装した包装硬貨である棒金類としての棒金を形成し、この棒金を収納したり送り出すようにした硬貨処理機11を示す。
【００３０】
硬貨処理機11は、機体である本体12を有し、この本体12内の左側域にばら状態の硬貨を処理する硬貨類処理装置としての硬貨処理装置13が配設され、本体12内の右側域に棒金を処理する棒金類処理装置としての棒金処理装置14の一部が配設されている。
【００３１】
この棒金処理装置14は、所定枚数重積した硬貨を包装して棒金を形成する包装部15、およびこの包装部15で形成した棒金の収納機能および送出機能（出金機能）を有する棒金類収納送出部としての棒金収納出金部16を有し、これら包装部15と棒金収納出金部16とが本体12内に配設されている。そして、本体12内に硬貨処理装置13と棒金処理装置14の包装部15および棒金収納出金部16とを配置した単体状態が、硬貨処理機11の標準仕様として構成されている。
【００３２】
さらに、棒金処理装置14は、棒金の収納量を確保するために、棒金の収納機能を有する棒金類収納部としての棒金収納部17a，17bのユニットを有し、この棒金収納部17a，17bが本体12の一側方向である右側の側部に１台または複数台増設可能としており、図１に示す例では２台の棒金収納部17a，17bを増設している。なお、棒金収納出金部16に近い側から順に、１番目の棒金収納部17a、２番目の棒金収納部17bとそれぞれ呼ぶ。
【００３３】
また、硬貨処理装置13には、本体12の上部側から順に、ばら状態の硬貨を受け入れて識別する硬貨類受入処理部としての入金処理部19、この入金処理部19で識別された硬貨を一時保留する一時保留部20、およびこの一時保留部20に保留された硬貨の収納時に収納するとともに収納した硬貨を棒金処理装置14などに繰出可能とする硬貨類収納繰出部としての硬貨収納繰出部21がそれぞれ配設され、これらの側部で本体12の中央域に硬貨収納繰出部21から繰り出されるばら状態の硬貨を本体12外に出金するばら硬貨出金部22が配設されている。
【００３４】
また、棒金処理装置14の包装部15は、本体12の下部域に配設され、所定枚数重積した硬貨を包装して棒金を形成しこの棒金を一定の向きすなわち棒金の長手方向が本体12の前面側に平行でかつ水平方向に向く状態で下部側から前面側へ送り出すように構成されている。
【００３５】
また、棒金処理装置14の棒金収納出金部16の下部側には、包装部15の下部側から送り出される棒金を受け入れるとともにこの棒金を横方向のうちの一側方向である右側方向および他側方向である左側方向のいずれにも搬送可能とする第１の横搬送部23が配設されている。この第１の横搬送部23では、包装部15の前面側へ送り出す棒金の向きと同じ向きすなわち棒金の長手方向が本体12の前面側に平行でかつ水平方向に向く状態で棒金を搬送する。
【００３６】
第１の横搬送部23より上方であって包装部15の上部域には包装部15の前面側へ送り出す棒金の向きと同じ向きで前面側から棒金を受け入れおよび送り出し可能に収納する複数の第１の棒金類トレイとしての第１の棒金トレイ24が上下方向に並設された第１の棒金類トレイ群としての第１の棒金トレイ群25a，25bが左右方向に複数列であって例えば２列並設されている。これら第１の棒金トレイ群25a，25bの前面側に対向して、本体12外に棒金を送り出す棒金類送出口としての棒金出金口26が配設されているとともに、この棒金出金口26の下側に棒金を一括して収納する棒金類一括収納部としての棒金一括収納部27が配設されている。これら棒金出金口26および棒金一括収納部27では、包装部15の前面側へ送り出す棒金の向きと同じ向きで棒金を収納する。
【００３７】
第１の横搬送部23および第１の棒金トレイ群25a，25bの前面側と棒金出金口26および棒金一括収納部27との間には、２列の第１の棒金トレイ群25a，25bに対応して２列の第１の棒金類搬送部としての第１の棒金搬送部28a，28bが配設され、これら２列の第１の棒金搬送部28a，28bの上部側にこれら２列の第１の棒金搬送部28a，28b間で互いに棒金を受け渡し可能とする棒金類受渡部としての棒金受渡部29が配設されている。右側の列の第１の棒金トレイ群25aに対応する第１の棒金搬送部28aは、第１の横搬送部23、第１の棒金トレイ群25a、棒金受渡部29、棒金出金口26および棒金一括収納部27にわたって上下方向に配設されており、その包装部15から送り出される棒金を第１の横搬送部23を通じて受け取って第１の棒金トレイ群25a、棒金受渡部29、棒金出金口26および棒金一括収納部27のいずれにも搬送可能とするとともに、第１の棒金トレイ群25aから送り出される棒金を受け取って棒金受渡部29、棒金出金口26および棒金一括収納部27のいずれにも搬送可能としている。左側の列の第１の棒金トレイ群25bに対応する第１の棒金搬送部28bは、第１の棒金トレイ群25b、棒金受渡部29、棒金出金口26および棒金一括収納部27にわたって上下方向に配設されており、棒金受渡部29から棒金を受け取って第１の棒金トレイ群25b、棒金出金口26および棒金一括収納部27のいずれにも搬送可能とするとともに、第１の棒金トレイ群25bから送り出される棒金を受け取って棒金受渡部29、棒金出金口26および棒金一括収納部27のいずれにも搬送可能としている。
【００３８】
また、棒金処理装置14の各棒金収納部17a，17bは、機体32を有し、この機体32内の下部側には棒金収納出金部16の第１の横搬送部23に連続して棒金を右側方向および左側方向のいずれにも搬送可能とする第２の横搬送部33が配設されている。この第２の横搬送部33では、包装部15の前面側へ送り出す棒金の向きと同じ向きすなわち棒金の長手方向が本体12の前面側に平行でかつ水平方向に向く状態で棒金を搬送する。
【００３９】
第２の横搬送部33より上方には包装部15の前面側へ送り出す棒金の向きと同じ向きで前面側から棒金を受け入れおよび送り出し可能に収納する複数の第２の棒金類トレイとしての第２の棒金トレイ34が上下方向に並設された第２の棒金類トレイ群としての第２の棒金トレイ群35が配設されている。
【００４０】
第２の横搬送部33および第２の棒金トレイ群35の前面側には、第２の横搬送部33から第２の棒金トレイ群35にわたって上下方向に第２の棒金類搬送部としての第２の棒金搬送部36が配設され、この第２の棒金搬送部36では、第２の横搬送部33から棒金を受け取って第２の棒金トレイ群35の第２の棒金トレイ34に搬送するとともに、第２の棒金トレイ34から送り出される棒金を受け取って第２の横搬送部33に搬送可能としている。
【００４１】
そして、包装部15で包装した棒金を棒金収納部17a，17bに収納する場合には、包装部15から送り出される棒金を、棒金収納出金部16の第１の横搬送部23に受け入れて隣接した１番目の棒金収納部17aの第２の横搬送部33へ向けて右側方向に搬送し、あるいは１番目の棒金収納部17aの第２の横搬送部33を通じて２番目の棒金収納部17bの第２の横搬送部33へ向けて右側方向に搬送し、１番目あるいは２番目の棒金収納部17bの第２の棒金搬送部36により第２の横搬送部33から棒金を受け取って第２の棒金トレイ群35の第２の棒金トレイ34に搬送して収納する。
【００４２】
また、１番目あるいは２番目の棒金収納部17a，17bに収納されている棒金を出金する場合には、１番目あるいは２番目の棒金収納部17a，17bの第２の棒金搬送部36により第２の棒金トレイ群35の第２の棒金トレイ34から棒金を受け取って第２の横搬送部33に搬送し、１番目の棒金収納部17aの第２の横搬送部33に受け取った棒金を棒金収納出金部16の第１の横搬送部23へ向けて左側方向に搬送し、あるいは２番目の棒金収納部17bの第２の横搬送部33に受け取った棒金を１番目の棒金収納部17aの第２の横搬送部33を通じて棒金収納出金部16の第１の横搬送部23へ向けて左側方向に搬送し、棒金収納出金部16の第１の棒金搬送部28aにより第１の横搬送部23から棒金を受け取って棒金出金口26に搬送して出金する。
【００４３】
このように、棒金の収納機能および送出機能を有する棒金収納出金部16と、この棒金収納出金部16の右側方向の側部に並設された棒金の収納機能を有する棒金収納部17a，17bとを備え、棒金収納出金部16の下部側には包装部15の下部側から送り出される棒金を受け入れるとともに棒金を右側方向および左側方向のいずれにも搬送可能とする第１の横搬送部23を設け、棒金収納部17a，17bの下部側には棒金収納出金部16の第１の横搬送部23に連続して棒金を右側方向および左側方向のいずれにも搬送可能とする第２の横搬送部33を設けたため、棒金収納出金部16の右側方向に必要数の棒金収納部17a，17bを増設した場合でも、棒金収納出金部16からの棒金を棒金収納部17a，17bのいずれにも搬送して収納できるとともに、いずれの棒金収納部17a，17bからの棒金も棒金収納出金部16に搬送して送り出すことができ、したがって、棒金収納部17a，17bを幾つ増設したとしても、棒金収納出金部16の位置すなわち棒金を送り出す棒金出金口26の位置を一定にでき、棒金を容易に取り出すことができる。
【００４４】
しかも、包装部15の下部側から送り出される棒金を棒金収納出金部16の下部側の第１の横搬送部23および棒金収納部17a，17bの下部側の第２の横搬送部33で搬送するため、従来のような棒金を上方へ搬送するだけに用いる棒金リフトを不要として構造が簡単で小形にできるとともに、その棒金リフトで上方に搬送する棒金の向きの変換を不要として棒金を確実に搬送できる。
【００４５】
また、本体12の下部域に包装部15を設けるとともにこの包装部15の上部域に第１の棒金トレイ群25a，25bを配置して棒金収納出金部16を設けたため、小形に構成できる。
【００４６】
さらに、包装部15の上部域に複数列の第１の棒金トレイ群25a，25bを並設し、これら複数列の第１の棒金トレイ群25a，25bのうち、いずれか１つの列の第１の棒金トレイ群25aに対応する第１の棒金搬送部28aで第１の横搬送部23から棒金を受け取って搬送し、この第１の棒金搬送部28aから他の列の第１の棒金トレイ群25bに対応する第１の棒金搬送部28bに棒金受渡部29によって棒金を受け渡せるため、複数列の第１の棒金トレイ群25a，25bのいずれでも棒金を収納したり送り出すことができ、第１の棒金トレイ24の数を増加させて棒金の収納量を増加できる。
【００４７】
このような棒金処理装置14と、ばら状態の硬貨を受け入れて処理する硬貨処理装置13とを具備することにより、構造が簡単で小形な硬貨処理機11を提供できる。
【００４８】
次に、図２ないし図９に、硬貨処理機11の具体的な構成を示す。
【００４９】
図２ないし図４に示すように、入金処理部19には、本体12の上部から投入される硬貨を受け入れるホッパ41およびこのホッパ41の底面の供給円盤42、この供給円盤42の回転によって所定量ずつ硬貨が供給される回転円盤43、この回転円盤43の回転によって１枚ずつ繰り出される硬貨を受け入れて搬送する硬貨通路44がそれぞれ設けられている。
【００５０】
この硬貨通路44の始端側の識別通路部44aには硬貨を識別する識別部45が設けられ、硬貨通路44の識別通路部44aに続いて本体12の前後方向に形成された選別通路部44bには任意の硬貨を選別する第１の任意選別部46および第２の任意選別部47、硬貨を金種別に選別する金種別選別部48がそれぞれ設けられている。第１の任意選別部46ではリジェクト硬貨や汚損硬貨や袋取り用硬貨などを選別し、第２の任意選別部47では一時保留部20や硬貨収納繰出部21に収納しきれない金種のオーバーフロー硬貨やダイレクト包装用硬貨などを選別する。
【００５１】
これら第１の任意選別部46、第２の任意選別部47および各金種別選別部48の下側には、選別された硬貨を一時保留部20へ送り込むシュート49（第１の任意選別部46の下側のシュートは符号49a、第２の任意選別部47の下側のシュートは符号49bでそれぞれ示す）がそれぞれ配設されている。第１の任意選別部46の下側のシュート49aでは、リジェクト硬貨を本体12に対して自由に着脱可能としたリジェクト箱50に、汚損硬貨を一時保留部20にそれぞれ切り換えて送り込み可能としている。
【００５２】
また、図２に示すように、一時保留部20は、各シュート49によって送り込まれる硬貨をそれぞれ一時保留する保留筒53を有し、これら保留筒53の下側に保留筒53の下面を閉塞する底部54および保留筒53の下面を開口させて下方へ放出させる放出口部55を有する底部材56が配設され、これら保留筒53および底部材56はそれぞれ移動機構57，58によって本体12の左右方向に移動可能に構成されている。そして、図２に示す保留筒53がシュート49の下方の保留位置に位置するとともに底部材56の底部54が保留筒53の底面を閉塞した状態で硬貨を一時保留し、一時保留した硬貨を収納する場合には保留筒53のみが左方向の収納位置に移動して保留筒53内の硬貨を底部材56の放出口部55を通じて硬貨収納繰出部21内へ放出し、また、一時保留した硬貨を返却する場合には、保留筒53と底部材56とが一緒に左方向に移動し、底部材56の放出口部55が硬貨収納繰出部21の側部位置で本体12に対して自由に着脱可能とした返却箱59上に移動した位置で底部材56のみが停止し、保留筒53のみが左方向の返却位置に移動して保留筒53内の硬貨を底部材56の放出口部55を通じて返却箱59に放出可能としている。
【００５３】
図６に示すように、一時保留部20の保留筒53のうち、第１の任意選別部46で選別された硬貨（硬貨類としての硬貨は符号Ｃで示す）をシュート49aを通じて一時保留する保留筒53aには袋取用シュート60が一体に移動するように設けられており、保留筒53aが左方向の収納位置に移動した状態で、袋取用シュート60の上端がシュート49aの下側に配置されるとともに、袋取用シュート60の下端が本体12の前面に設けられる袋装着部61の上側に配置され、ホッパ41に投入する硬貨を識別計数して袋取りする場合に、硬貨通路44で識別計数した硬貨を第１の任意選別部46、シュート49aおよび袋取用シュート60を通じて袋装着部61に装着された袋Ｗに袋取りできるようにしている。
【００５４】
図７に示すように、一時保留部20の保留筒53のうち、第２の任意選別部47で選別された硬貨を一時保留する保留筒53bにはダイレクト包装用シュート62が一体に移動するように設けられており、保留筒53bが左方向の収納位置に移動した状態で、ダイレクト包装用シュート62の上端がシュート49bの下側に配置されるとともに、ダイレクト包装用シュート62の下端が包装部15の上方に配置されるシュート63の上側に配置され、ホッパ41に投入する硬貨を棒金として取り出す場合に、硬貨通路44で識別した硬貨を第２の任意選別部47、ダイレクト包装用シュート62およびシュート63などを通じて包装部15に直接送り込んで棒金として取り出せるようにしている。
【００５５】
また、図２および図４に示すように、硬貨収納繰出部21は、オーバーフロー硬貨用と各金種別硬貨用とにそれぞれ設けられ、一時保留部20から送り込まれる硬貨を受け入れてばら状態で収納する硬貨収納箱65（オーバーフロー硬貨用の硬貨収納箱は符号65bで示す）を有し、この硬貨収納箱65の内部には収納されている硬貨を包装部15側の一側上方へ搬送して１枚ずつ繰り出す繰出手段としての繰出ベルト66が配設されている。各硬貨収納繰出部21から硬貨を繰り出す繰出位置の側部には繰り出される硬貨を受け入れて前方または後方に搬送するコンベヤ67が前後方向に沿って設けられており、包装時にはコンベヤ67上の中央域より前側域に受け入れる硬貨をコンベヤ67の中央域へ搬送し、あるいはコンベヤ67上の中央域より後側域に受け入れる硬貨をコンベヤ67の中央域へ搬送し、コンベヤ67の中央域から送込み機構68によって硬貨を包装部15に送り込み、また、ばら硬貨出金時にはコンベヤ67上に受け入れた硬貨を前方へ搬送してばら硬貨出金部22に送り込むようにしている。硬貨収納繰出部21の前側には、第１の任意選別部46で選別されて一時保留部20から送り込まれる汚損硬貨を収納する汚損硬貨収納箱69が本体12に対して着脱可能に設けられている。
【００５６】
また、ばら硬貨出金部22は、コンベヤ67の前方域で上下方向に移動する搬送箱71を有し、この搬送箱71の底部は開閉可能とするシャッタ72で閉塞されており、下降位置でコンベヤ67から前方へ搬送する硬貨を受け入れ、上昇位置で本体12に対して着脱可能とするばら硬貨出金箱73に硬貨を送り込み可能としている。
【００５７】
下降位置の搬送箱71の下方には回収シュート74が配設され、この回収シート74の下方に本体12に対して着脱可能とする回収箱75が配置されており、硬貨収納繰出部21内の硬貨の回収時において、硬貨収納繰出部21から繰り出される硬貨をコンベヤ67、シャッタ72が開放状態の搬送箱71、回収シュート74を通じて回収箱75に回収可能としている。
【００５８】
また、図８および図９に示すように、包装部15には、コンベヤ67から送込み機構68を通じて包装部15に送り込まれる硬貨を受け入れる回転円盤81、およびこの回転円盤81の回転によって１枚ずつ繰り出される硬貨を受け入れて搬送ベルト82で搬送する包装用通路83が配設されている。この包装用通路83は金種設定手段84によって通路幅が包装する金種に対応して調整設定されており、包装金種より大径金種の硬貨が包装用通路83に進入規制され、包装金種より小径金種の硬貨が包装用通路83の通路面に設けられた排除口85から排除される。包装用通路83には、包装用通路83から下流域へ送り込まれる硬貨の通過を検知する通過検知用センサS1、包装用通路83から下流域へ送り込まれる硬貨の枚数を計数する計数用センサS2、これらセンサS1，S2の検知に基づいて包装用通路83から下流域へ送り込まれる所定の重積枚数目の硬貨の次の硬貨を停止させるストッパ86が配設されている。
【００５９】
包装用通路83の下流域には、包装用通路83から送り込まれる硬貨を下部側から上方へ順次重積していって所定枚数の硬貨を重積する重積部87が配設されている。この重積部87は、包装手段88の３本の包装ローラ89の間でかつ包装用通路83の通路面と同一面に配置された基板90に対して略垂直に形成されており、重積部87の下部に基板90から上方に突出する重積ローラ91が配設され、この重積ローラ91の回転駆動によって、包装用通路83から送り込まれる硬貨を重積部87の下部に取り込むとともにこの硬貨の送込み方向の後端を包装用通路83の通路面および基板90の上面より上昇させ、続いて送り込まれる硬貨の送込み方向の先端を重積部87の下部に位置する硬貨の下側に取り込んで重積する。重積部87の奥側には包装用通路83から重積部87に送り込まれた硬貨の先端位置を位置決め規制する規制部92が配設され、重積部87の上部には重積部87で重積される硬貨の上面を押えて重積状態を維持する押え手段93が配設されている。
【００６０】
包装手段88では、所定枚数重積した重積硬貨を基板90から上方に突出する支持ロッド94で所定の包装位置まで押し上げ、３本の包装ローラ89で重積硬貨の周面を挟持して回転させ、重積硬貨の周面に図示しない包装紙を巻き込むことにより、この包装紙を重積硬貨の周囲に巻き付けるとともに包装紙の端部を重積硬貨の端面にかしめ、包装硬貨である棒金を形成する。したがって、硬貨を重積する重積部87が、重積硬貨を包装する包装部として兼用されている。また、包装ローラ89の位置とともに重積ローラ91の位置についても、金種設定手段84により包装金種に対応して調整設定される。
【００６１】
重積ローラ91や支持ロッド94が設けられた基板90は退避機構95によって重積部87の下方位置から退避し、形成した棒金を下方へ放出可能としている。
【００６２】
図５に示すように、重積部87の下方には、包装部15から長手方向（重積方向）が上下方向に向く状態で放出される棒金（棒金類としての棒金は符合Ａで示す）を受け入れて長手方向が本体12の前面に平行でかつ水平方向に向く状態に変換しつつ前方へ向けて転がるように導く棒金シュート96が配設され、この棒金シュート96の先端側には第１の横搬送部23が配置されているとともに、この第１の横搬送部23上に第１の横搬送部23から前方の第１の棒金搬送部28aへの棒金の放出と放出規制とを切り換える切換部材97が配設されている。この第１の横搬送部23は、本体12の下部域に配設され、長手方向が本体12の前面に平行でかつ水平方向に向く状態の棒金を載せて右側方向および左側方向のいずれにも搬送可能とするベルトコンベヤで構成されている。この第１の横搬送部23は、第１の棒金搬送部28aに対向するベルト幅方向の一側が下降する傾斜状態にあって、切換部材97が放出規制状態から放出状態に切り換えられたときに第１の棒金搬送部28aへ向けて棒金を転動させて放出可能としている。本体12における第１の横搬送部23の右側位置には、棒金収納部17aの第２の横搬送部33との間で棒金が挿通する開口部98が形成されている。
【００６３】
また、棒金収納出金部16の各第１の棒金搬送部28a，28bは、包装部15の前面側へ送り出す棒金の向きと同じ向きすなわち長手方向が本体12の前面に平行でかつ水平方向に向く状態で棒金を搬送する回転体として無端状の一対の棒金搬送ベルト101を有し、これら棒金搬送ベルト101が上下のローラ102，103にわたって上下方向に回動可能に張設されており、この棒金搬送ベルト101の周面には棒金を載せて支持する支持面104aを有する棒金類支持部としての複数の棒金支持部104が突設されている。棒金搬送ベルト101は、図示しない駆動手段によって一方向および他方向のいずれにも回転駆動可能とし、棒金搬送ベルト101の一方向への回転（以下、正転という）時に、包装部15および第１の棒金トレイ群25a，25bの前面に対向する対向面側101aが上昇し、包装部15から棒金シュート96を通じて送り出される棒金を１つの棒金支持部104の支持面104aに受け取って載せた状態で上方へ搬送可能とし、また、棒金搬送ベルト101の他方向への回転（以下、逆転という）時に、対向面側101aが下降し、この対向面側101aに対して反対の反対面側101bが上昇する。
【００６４】
各第１の棒金搬送部28a，28bの棒金搬送ベルト101の上部側に対向して上部ガイド105が配設され、この上部ガイド105により、棒金搬送ベルト101の正転時に、棒金支持部104の支持面104aに載せて上方へ搬送する棒金を棒金搬送ベルト101との間に受け入れ、棒金搬送ベルト101の対向面側101aに対して反対の反対面側101bにガイドする。
【００６５】
第１の棒金搬送部28aの棒金搬送ベルト101の下部側に対向して下部ガイド106が配設され、この下部ガイド106により、棒金搬送ベルト101の逆転時に、包装部15から棒金シュート96を通じて送り出される棒金を棒金搬送ベルト101との間に受け入れ、棒金支持部104の棒金を載せて支持する支持面104aとは反対面104bで押しながら搬送する棒金を棒金搬送ベルト101の対向面側101aに対して反対の反対面側101bにガイドする。
【００６６】
図２、図３および図５に示すように、２列の第１の棒金搬送部28a，28b間で棒金を受け渡す棒金受渡部29は、第１の棒金トレイ群25a，25bの上方域で２列の第１の棒金搬送部28a，28bにわたって水平方向に配設された受渡コンベヤ107を有し、この受渡コンベヤ107に載せた棒金を２列の第１の棒金搬送部28a，28bのいずれにも搬送可能とし、この受渡コンベヤ107の上方で各第１の棒金搬送部28a，28bの位置には棒金搬送ベルト101の棒金支持部104で上方へ搬送してきた棒金を受渡コンベヤ107に取り込んだり受渡コンベヤ107上の棒金を棒金搬送ベルト101の棒金支持部104に受け渡す受渡部材108が配設されている。
【００６７】
また、各第１の棒金トレイ群25a，25bの各第１の棒金トレイ24は、本体12の前後方向に対応して長く、包装部15の前面側へ送り出す棒金の向きと同じ向きすなわち棒金の長手方向が本体12の前面に平行でかつ水平方向に向く状態で複数の棒金を前後方向に並列に収納するとともに、第１の棒金トレイ24が前方へ向けて下降傾斜して収納した棒金を前方に寄せて整列状態に収納する。第１の棒金トレイ24の前端には最前列の棒金の前面側を支える支え部111が立ち上げられ、この支え部111は、各第１の棒金搬送部28a，28bの一対の棒金搬送ベルト101の棒金支持部104に干渉せず、その一対の棒金搬送ベルト101の棒金支持部104の間に対して進退可能とする幅に形成されている。そして、各第１の棒金トレイ24は、それぞれ図示しない第１の棒金トレイ駆動手段によって、第１の棒金トレイ24の前端部が棒金搬送ベルト101の棒金支持部104の移動領域より後方に離反した収納位置（待機位置）と、第１の棒金トレイ24の前端部が棒金搬送ベルト101の棒金支持部104の移動領域に侵入する前方の受渡位置との間で移動可能としている。
【００６８】
各第１の棒金トレイ群25a，25bと各第１の棒金搬送部28a，28bとの間にはストッパ体112が上下方向に移動可能に配設され、このストッパ体112には各第１の棒金トレイ24毎に対応してストッパ部113が設けられており、第１の棒金トレイ24が後方の収納位置から前方の受渡位置に移動するときに、このストッパ体112が上昇してストッパ部113が最前列の棒金に係合し、第１の棒金トレイ24内の収納済みの棒金の前方への移動を規制することにより、第１の棒金トレイ24の前端部に第１の棒金搬送部28a，28bから棒金を受け入れ可能とする空間を形成するようにしている。なお、ストッパ部113は第１の棒金トレイ24の幅方向の一部に対応して設けられ、第１の棒金トレイ24にはストッパ部113が入り込む溝が設けられ、ストッパ部113と第１の棒金トレイ24とが干渉しないように構成されている。
【００６９】
そして、第１の棒金トレイ24に棒金を収納するときには、棒金搬送ベルト101の正転によって棒金支持部104に載せて上方に搬送する棒金を収納する第１の棒金トレイ24より上方域で一旦停止させた後、第１の棒金トレイ24を後方の収納位置から前方の受渡位置に移動させ、このときストッパ体112のストッパ部113で第１の棒金トレイ24内の収納済みの棒金の前方への移動を規制して第１の棒金トレイ24の前端部に棒金を受け入れ可能とする空間を形成し、棒金搬送ベルト101の逆転によって棒金支持部104を下降させ、棒金支持部104上の棒金を第１の棒金トレイ24の前端部に受け渡して収納し、第１の棒金トレイ24を前方の受渡位置から後方の収納位置に戻す。また、第１の棒金トレイ24から棒金を取り出すときには、ストッパ体112は作動させず、第１の棒金トレイ24を後方の収納位置から前方の受渡位置に移動させ、正転する棒金搬送ベルト101の棒金支持部104で第１の棒金トレイ24の最前列の棒金をすくい上げて取り出し、第１の棒金トレイ24を前方の受渡位置から後方の収納位置に戻す。
【００７０】
また、棒金出金口26は、本体12の前面側上部に２列の第１の棒金搬送部28a，28bにわたる横幅に設けられ、棒金を収納する棒金出金箱115およびこの棒金出金箱115の上面で棒金出金口26を開閉するカバー116を有し、この棒金出金箱115の各第１の棒金搬送部28a，28bに臨む上部には、正転する棒金搬送ベルト101により上部ガイド105を通じて対向面側101aから反対面側101bに搬送されてくる棒金を棒金出金口26に取り込む取込位置と棒金出金口26への進入を規制して下方へガイドする通過位置とに切換可能とする取込部材117が設けられている。この棒金出金口26の棒金出金箱115に収納する棒金は、包装部15の前面側へ送り出す棒金の向きと同じ向きであって第１の棒金搬送部28a，28bで搬送する棒金の状態、すなわち長手方向が本体12の前面に平行でかつ水平方向に向く状態で収納する。
【００７１】
また、棒金一括収納部27は、本体12の前面側で棒金出金口26の下側のスペースに着脱可能に装着された棒金一括収納箱119で構成されるとともに２列の第１の棒金搬送部28a，28bにわたる横幅に設けられ、この棒金一括収納部27の各第１の棒金搬送部28a，28bに臨む上部には、正転する棒金搬送ベルト101により上部ガイド105を通じて対向面側101aから反対面側101bに搬送されてくるとともに棒金出金口26を通過して搬送されてくる棒金を棒金一括収納部27に取り込む取込位置とこの取込位置から棒金搬送ベルト101の棒金支持部104に干渉しない位置に退避する退避位置とに切換可能とする取込部材120が設けられている。この棒金一括収納部27に収納する棒金は、包装部15の前面側へ送り出す棒金の向きと同じ向きであって第１の棒金搬送部28a，28bで搬送する棒金の状態、すなわち長手方向が本体12の前面に平行でかつ水平方向に向く状態で収納する。
【００７２】
また、棒金出金口26および棒金一括収納部27の下側のスペースには、逆転する棒金搬送ベルト101により下部ガイド106を通じて対向面側101aから反対面側101bに搬送されてくる棒金を所定高さまで上昇した位置から本体12外である本体12の前面側へ投出する投出シュート122が配設されている。この投出シュート122は、本体12外へ向けて下降傾斜し、包装部15の前面側へ送り出す棒金の向きと同じ向きであって第１の棒金搬送部28aで搬送する棒金の状態、すなわち長手方向が本体12の前面に平行でかつ水平方向に向く状態の棒金を受け入れてその状態のまま転動させて投出可能としている。投出シュート122の入口部には、逆転する棒金搬送ベルト101により反対面側101bを上昇する棒金を投出シュート122の上方へ一旦通過させる通過位置と、棒金搬送ベルト101の逆転から正転への切り換えによって下降する棒金を投出シュート122に取り込む取込位置とに切換可能とする取込部材123が配設されている。
【００７３】
また、図２および図３に示すように、各棒金収納部17a，17bの第２の横搬送部33、第２の棒金トレイ34、第２の棒金トレイ群35および第２の棒金搬送部36の各構成は、上述した棒金収納出金部16の第１の横搬送部23、第１の棒金トレイ24、第１の棒金トレイ群25aおよび第１の棒金搬送部28aの各構成と同様であり、これらの同様の構成については同一符号を示す。
【００７４】
各棒金収納部17a，17bの第２の横搬送部33は、棒金収納出金部16の第１の横搬送部23に連続するように機体32の下部域に配設され、長手方向が本体12の前面に平行でかつ水平方向に向く状態の棒金を載せて右側方向および左側方向のいずれにも搬送可能とするベルトコンベヤで構成されている。
【００７５】
機体32の第２の横搬送部33の左側位置には搬送する棒金が通過する開口部131が形成され、機体32の第２の横搬送部33の右側位置にはその右側に棒金収納部17bが増設された場合に搬送する棒金が通過する開口部132が形成されている。したがって、最も右側に増設された棒金収納部17bの右側の開口部132は開口されていない。
【００７６】
第２の横搬送部33より上方に金種別の第２の棒金トレイ34を有する第２の棒金トレイ群35が配設され、第２の横搬送部33および第２の棒金トレイ群35の前面側に第２の棒金搬送部36が配設されている。この第２の棒金搬送部36では、第２の横搬送部33から棒金を受け取って第２の棒金トレイ群35の第２の棒金トレイ34に搬送するとともに、第２の棒金トレイ34から送り出される棒金を受け取って第２の横搬送部33に搬送可能としている。第２の横搬送部33から第２の棒金搬送部36への棒金の受け渡しは、上述した第１の横搬送部23から第１の棒金搬送部28aへの棒金の受け渡し構造と同様であり、また、第２の棒金搬送部36から第２の横搬送部33への棒金の受け渡しには、第２の棒金搬送部36で第２の棒金トレイ34から取り出して下方へ搬送する棒金をその第２の棒金搬送部36から受け取って第２の横搬送部33に受け渡す図示しない棒金受渡手段を備えている。
【００７７】
次に、図２ないし図９に示す硬貨処理機11の作用を説明する。
【００７８】
まず、図２ないし図４において、硬貨を入金する硬貨入金処理時には、ホッパ41に投入された入金硬貨を供給円盤42の回転により回転円盤43に供給し、回転円盤43の回転により硬貨を１枚ずつ硬貨通路44に繰り出し、硬貨通路44内に繰り出された硬貨を搬送し、識別部45で硬貨を識別し、適正な硬貨のみを金種別選別部48で金種別に選別して一時保留部20の保留筒53内に収納する。識別不能なリジェクト硬貨は第１の任意選別部46で選別してリジェクト箱50に送り、汚損硬貨は第１の任意選別部46で選別して一時保留部20の保留筒53a内に一時保留する。
【００７９】
投入した全ての入金硬貨の選別処理が完了した後、入金承認による収納時には、一時保留部20の各保留筒53内の保留硬貨を各硬貨収納繰出部21に収納し、また、入金不承認による返却時には、一時保留部20の保留筒53内の保留硬貨を返却箱59に送り、この返却箱59を本体12から取り出す。
【００８０】
また、硬貨をばら状態で出金するばら硬貨出金処理時には、出金データに基づいて、出金する金種の硬貨収納繰出部21から出金に必要な枚数分の硬貨を繰り出し、コンベヤ67を通じて搬送箱71に搬送し、この搬送箱71を上昇させてばら硬貨出金箱73に投入し、このばら硬貨出金箱73を本体12から取り出す。
【００８１】
また、例えば、ある金種の硬貨収納繰出部21内の硬貨収納量が所定量以上になったためにばら硬貨を棒金の状態として収納する場合や、棒金収納出金部16および棒金収納部17a，17bである金種の棒金の収納量が所定量以下になった場合などには、対応する金種の硬貨収納繰出部21内のばら硬貨を棒金として棒金収納出金部16や棒金収納部17a，17bに収納する棒金形成収納処理がなされる。
【００８２】
この棒金形成収納処理では、対応する１つの金種の硬貨収納繰出部21から硬貨を繰り出し、コンベヤ67および送込み機構68を通じて包装部15の回転円盤81に送り込む。
【００８３】
包装部15において、図８および図９に示すように、回転円盤81から硬貨を１枚ずつ包装用通路83に繰り出し、この包装用通路83から１枚ずつ硬貨を重積部87に送り込んでこの重積部87で下部側から上方へ順次重積していって所定枚数の硬貨を重積する。この重積硬貨を３本の包装ローラ89で挟持して回転させながら、包装紙を重積硬貨の周囲に巻き付けるとともに包装紙の端部を重積硬貨の端面にかしめ、包装硬貨である棒金を形成し、下方へ放出する。
【００８４】
図５に示すように、包装部15からは棒金の長手方向が上下方向に向く状態で下方へ放出されるが、この棒金を棒金シュート96に受け入れて棒金の長手方向が本体12の前面に平行でかつ水平方向に向く状態に変換しつつ前方へ向けて転がるように導く。
【００８５】
包装部15で形成した棒金を棒金収納出金部16に収納する場合には、包装部15から棒金シュート96で導かれる棒金を第１の横搬送部23から第１の棒金搬送部28aの棒金搬送ベルト101の棒金支持部104に受け渡す。第１の棒金搬送部28aの棒金搬送ベルト101の正転により棒金支持部104に載せた棒金を上方の第１の棒金トレイ群25aへ搬送し、第１の棒金トレイ群25aの中の対応する金種の第１の棒金トレイ24に収納する。また、第１の棒金トレイ群25aの中の対応する金種の第１の棒金トレイ24が満杯の場合には、第１の棒金搬送部28aで棒金を上部まで搬送して棒金受渡部29の受渡コンベヤ107に受け渡し、この受渡コンベヤ107で左側の第１の棒金搬送部28b側に搬送してその左側の第１の棒金搬送部28bの棒金搬送ベルト101の棒金支持部104に受け渡し、その左側の第１の棒金搬送部28bによって左側の第１の棒金トレイ群25bの中の対応する金種の第１の棒金トレイ24に収納する。
【００８６】
棒金収納出金部16の中の対応する金種の第１の棒金トレイ24が満杯で、包装部15で形成した棒金を隣接する１番目の棒金収納部17aに収納する場合には、包装部15から棒金シュート96で導かれる棒金を切換部材97によって第１の横搬送部23上に停止させ、この第１の横搬送部23上の棒金を右方向の棒金収納部17aの第２の横搬送部33に搬送する。１番目の棒金収納部17aの第２の横搬送部33に搬送した棒金を、第２の横搬送部33から第２の棒金搬送部36の棒金搬送ベルト101の棒金支持部104に受け渡す。第２の棒金搬送部36の棒金搬送ベルト101の正転により棒金支持部104に載せた棒金を上方の第２の棒金トレイ群35へ搬送し、第２の棒金トレイ群35の中の対応する金種の第２の棒金トレイ34に収納する。
【００８７】
棒金収納出金部16の中の対応する金種の第１の棒金トレイ24、および１番目の棒金収納部17aの中の対応する金種の第２の棒金トレイ34が満杯で、包装部15で形成した棒金を２番目の棒金収納部17bに収納する場合には、包装部15から棒金シュート96で導かれる棒金を切換部材97によって第１の横搬送部23上に停止させ、この第１の横搬送部23上の棒金を右方向の１番目の棒金収納部17aの第２の横搬送部33を通じて２番目の棒金収納部17bの第２の横搬送部33に搬送する。２番目の棒金収納部17bの第２の横搬送部33に搬送した棒金を、第２の横搬送部33から第２の棒金搬送部36の棒金搬送ベルト101の棒金支持部104に受け渡す。第２の棒金搬送部36の棒金搬送ベルト101の正転により棒金支持部104に載せた棒金を上方の第２の棒金トレイ群35へ搬送し、第２の棒金トレイ群35の中の対応する金種の第２の棒金トレイ34に収納する。
【００８８】
棒金収納出金部16および棒金収納部17a，17bの中の対応する金種の第１の棒金トレイ24および第２の棒金トレイ34がいずれもが満杯の場合には、包装部15から棒金シュート96で導かれる棒金を第１の横搬送部23から第１の棒金搬送部28aの棒金搬送ベルト101の棒金支持部104に受け渡す。この第１の棒金搬送部28aで棒金を上部に搬送して上部ガイド105を通じて対向面側101aから反対面側101bに搬送し、棒金出金口26の側部を通過させて棒金一括収納部27に送り込んで収納する。あるいは、上述のように、右側の第１の棒金搬送部28aから棒金を棒金受渡部29を通じて左側の第１の棒金搬送部28bに受け渡し、この左側の第１の棒金搬送部28bで棒金一括収納部27に送り込んで収納する。そして、第１の棒金搬送部28a，28bで交互に棒金一括収納部27に棒金を収納させることにより、棒金一括収納部27内に棒金を分散させて均等に収納できる。
【００８９】
また、棒金を出金する棒金出金処理時には、出金データに基づいて、例えば、棒金収納出金部16に収納されている棒金を１金種ずつ出金する。すなわち、出金する金種の第１の棒金トレイ24が後方の収納位置から前方の受渡位置に移動し、棒金搬送ベルト101が正転して棒金支持部104で最前列の１本の棒金をすくい上げて取り出す。同一金種の棒金を複数本出金する場合には、第１の棒金トレイ24が受渡位置にそのまま位置し、続く棒金支持部104ですくい上げて取り出す。必要本数の棒金の取り出しが完了したら、第１の棒金トレイ24を前方の受渡位置から後方の収納位置に戻す。他の金種がある場合には同様の動作で棒金を取り出す。棒金搬送ベルト101によって上部に搬送した棒金を上部ガイド105を通じて対向面側101aから反対面側101bに搬送し、棒金出金口26に送り込み、この棒金出金口26から棒金を取り出し可能とする。
【００９０】
出金金種の棒金が棒金収納出金部16になく、棒金収納出金部16に隣接した１番目の棒金収納部17aにある場合には、棒金収納部17aの出金する金種の第２の棒金トレイ34が後方の収納位置から前方の受渡位置に移動し、第２の棒金搬送部36の棒金搬送ベルト101が正転して棒金支持部104で最前列の１本の棒金をすくい上げて取り出す。同一金種の棒金を複数本出金する場合には、第２の棒金トレイ34が受渡位置にそのまま位置し、続く棒金支持部104ですくい上げて取り出す。必要本数の棒金の取り出しが完了したら、第２の棒金トレイ34を前方の受渡位置から後方の収納位置に戻す。他の金種がある場合には同様の動作で棒金を取り出す。棒金搬送ベルト101が逆転して取り出した棒金を第２の横搬送部33に受け渡し、この第２の横搬送部33から左方向の棒金収納出金部16の第１の横搬送部23に搬送し、この第１の横搬送部23から第１の棒金搬送部28aに受け渡し、この第１の棒金搬送部28aで上方に搬送して棒金出金口26に送り込み、この棒金出金口26から棒金を取り出し可能とする。
【００９１】
出金金種の棒金が棒金収納出金部16および１番目の棒金収納部17aになく、２番目の棒金収納部17bにある場合には、１番目の棒金収納部17aからの棒金の出金動作と同様に、第２の棒金トレイ34から取り出した棒金を第２の横搬送部33に受け渡し、この第２の横搬送部33から左方向の１番目の棒金収納部17aの第２の横搬送部33を通じて棒金収納出金部16の第１の横搬送部23に搬送し、棒金収納出金部16の棒金出金口26に送り込む。
【００９２】
また、硬貨を投入して棒金として本体12外に取り出すダイレクト包装処理時には、図７(b)に示すように、ダイレクト包装用シュート62を第２の任意選別部47のシュート49bと包装部15の回転円盤81上のシュート63とを接続する位置に切り換え移動させ、ホッパ41に投入されて硬貨通路44を通じて識別した硬貨をこの硬貨通路44からダイレクト包装用シュート62などを通じて包装部15の回転円盤81に直接送り込んで上述のように棒金を形成する。
【００９３】
図５に示すように、包装部15で形成した棒金を棒金の長手方向が上下方向に向く状態で下方へ放出し、この棒金を棒金シュート96に受け入れて棒金の長手方向が本体12の前面に平行でかつ水平方向に向く状態に変換しつつ前方へ向けて転がるように第１の棒金搬送部28aへ導く。第１の棒金搬送部28aの棒金搬送ベルト101の逆転により、包装部15から棒金シュート96を通じて送り出される棒金を棒金搬送ベルト101と下部ガイド106の間に受け入れ、棒金支持部104の棒金を載せて支持する支持面104aとは反対面104bで棒金を押しながら棒金搬送ベルト101の対向面側101aから反対の反対面側101bに搬送して上昇させる。
【００９４】
逆転する棒金搬送ベルト101により反対面側101bを上昇する棒金を取込部材123によって投出シュート122より上方へ一旦通過させた後、棒金搬送ベルト101を逆転から正転に切り換え、反対面側101bを下降する棒金を取込部材123によって投出シュート122内に取り込み、この投出シュート122を通じて本体12の前面から外部に投出し、本体12の前面側に配置される回収箱などに収納する。
【００９５】
なお、硬貨処理機11のレイアウトとしては、図１０に示すように、硬貨処理装置13と棒金処理装置14の包装部15を本体12に収納した構成を硬貨処理機11の標準仕様とし、棒金処理装置14の棒金収納出金部16を独立したユニットとすることにより、本体12の一側方向である右側方向に棒金収納出金部16および棒金収納部17a，17bの各ユニットを順に配置してもよい。この場合、包装部15で形成した棒金を棒金収納出金部16の第１の横搬送部23に送り込むために、包装部用横搬送部135や図示しないシュートなどが用いられる。また、棒金収納出金部16は、第１の棒金トレイ群25aおよび第１の棒金搬送部28aが１列の場合を示す。そして、このような硬貨処理機11のレイアウトでも図１に示したレイアウトと同様の作用効果が得られる。
【００９６】
また、第１の棒金搬送部28a，28bには、複数の棒金支持部104を有する棒金搬送ベルト101を用いたが、棒金支持部104と同様の棒金支持部を有するチェーンを用いたり、棒金を載せるバケットを昇降させるリフトを用いることもできる。
【００９７】
また、硬貨収納繰出部21は、金種別に設けたが、金種混合状態で一括収納するように構成し、ばら硬貨の出金時や包装時に金種別に選別するようにしてもよい。
【００９８】
また、棒金類処理装置としては、棒金処理装置14に限らず、硬貨類として遊技用のメダルを所定枚数重積して包装した棒金類としての包装メダルを形成し、この包装メダルを収納したり送り出すようにした硬貨類処理装置としての包装メダル処理装置にも適用でき、同様の作用効果が得られる。したがって、この包装メダル処理装置と、ばら状態のメダルを処理する硬貨類処理装置としてのメダル処理装置とを備えたメダル処理機にも適用でき、同様の作用効果が得られる。
【図面の簡単な説明】
【００９９】
【図１】本発明の第１の実施の形態の硬貨類処理機を示し、(a)は概略正面図、(b)は概略平面図、(c)は概略側面図である。
【図２】同上硬貨類処理機の内部構造を示す正面図である。
【図３】同上硬貨類処理機の内部構造を示す平面図である。
【図４】同上硬貨類処理機の内部構造を示す左側面図である。
【図５】同上硬貨類処理機の内部構造を示す右側面図である。
【図６】同上硬貨類処理機の第１任意選別部からの選別を示し、(a)は一時保留する場合の正面図、(b)は袋取りする場合の正面図である。
【図７】同上硬貨類処理機の第２任意選別部からの選別を示し、(a)は一時保留する場合の正面図、(b)はダイレクト包装する場合の正面図である。
【図８】同上硬貨類処理機の包装部の平面図である。
【図９】同上硬貨類処理機の包装部の正面図である。
【図１０】本発明の第２の実施の硬貨類処理機を示す概略正面図である。
【図１１】従来の硬貨類処理機を示し、(a)は概略正面図、(b)は概略平面図、(c)は概略側面図である。
【図１２】従来の他の硬貨類処理機を示す概略正面図である。
【符号の説明】
【０１００】
11    硬貨類処理機としての硬貨処理機
12    本体
13    硬貨類処理装置としての硬貨処理装置
14    棒金類処理装置としての棒金処理装置
15    包装部
16    棒金類収納送出部としての棒金収納出金部
17a，17b    棒金類収納部としての棒金収納部
19    硬貨類受入処理部としての入金処理部
20    一時保留部
21    硬貨類収納繰出部としての硬貨収納繰出部
23    第１の横搬送部
24    第１の棒金類トレイとしての第１の棒金トレイ
25a，25b    第１の棒金類トレイ群としての第１の棒金トレイ群
26    棒金類送出口としての棒金出金口
28a，28b    第１の棒金類搬送部としての第１の棒金搬送部
29    棒金類受渡部としての棒金受渡部
33    第２の横搬送部
34    第２の棒金類トレイとしての第２の棒金トレイ
35    第２の棒金類トレイ群としての第２の棒金トレイ群
36    第２の棒金類搬送部としての第２の棒金搬送部
Ａ    棒金類としての棒金
Ｃ    硬貨類としての硬貨
【図１】
2005228080.tif 000003
【図２】
2005228080.tif 000004
【図３】
2005228080.tif 000005
【図４】
2005228080.tif 000006
【図５】
2005228080.tif 000007
【図６】
2005228080.tif 000008
【図７】
2005228080.tif 000009
【図８】
2005228080.tif 000010
【図９】
2005228080.tif 000011
【図１０】
2005228080.tif 000012
【図１１】
2005228080.tif 000013
【図１２】
2005228080.tif 000014